(57)【特許請求の範囲】
【請求項１】
受電コネクタと接続された給電プラグの引き抜きを規制するプラグロック位置と、当該引き抜きを許容するプラグアンロック位置との間を変位するプラグ規制部材と、
前記受電コネクタが収容される収容部の開口部を開閉可能に閉塞するリッドと、
前記リッドとの係合を通じて前記開口部が開口される方向への前記リッドの変位を規制するリッドロック位置と、前記開口部が開口される方向への前記リッドの変位を許容するリッドアンロック位置との間を変位するとともに、前記リッドロック位置に向かって常時付勢されるリッド規制部材と、
駆動源の駆動に基づき回転する回転体と、
前記回転体の基準位置から第１の方向への回転に基づき、前記プラグ規制部材を前記プラグアンロック位置から前記プラグロック位置に変位させ、前記回転体の前記基準位置から第１の方向と逆の第２の方向への回転に基づき、前記リッド規制部材を付勢力に抗して前記リッドロック位置から前記リッドアンロック位置に変位させる駆動機構と、
前記第２の方向へ回転した前記回転体を前記基準位置へ復帰させる復帰手段と、を備え、
前記リッド規制部材は、前記リッドロック位置に保持された状態で前記リッドが閉じられたとき、前記リッドとの係合を通じて前記アンロック位置へ向けて変位することで、前記リッドによる前記開口部の閉塞を許容し、前記リッドが前記開口部の閉塞位置に達したとき、付勢力により再び前記リッドロック位置へ戻るロック装置。
【請求項２】
請求項１に記載のロック装置において、
前記回転体は、その回転軸回りを回転する第１の回転係合部を備え、
前記駆動機構は、前記第１の回転係合部の回動軌跡上に位置する第２の回転係合部を有する第１の伝達部材を備え、
前記プラグ規制部材は、前記第１の伝達部材の変位に基づきプラグロック位置とプラグアンロック位置との間で変位するロック装置。
【請求項３】
請求項１又は２に記載のロック装置において、
前記回転体は、その回転軸回りを回転する第３の回転係合部を備え、
前記駆動機構は、前記第３の回転係合部の回動軌跡上に位置する第４の回転係合部を有する第２の伝達部材を備え、
前記リッド規制部材は、前記第２の伝達部材の変位に基づきリッドロック位置とリッドアンロック位置との間で変位するロック装置。
【請求項４】
請求項２に記載のロック装置において、
前記給電プラグには、変位可能とされた係止爪が、前記受電コネクタには、前記係止爪と係合して両者の接続状態を維持する爪係合部及び前記係止爪が変位するときこれと連れ動きする連動部が、それぞれ設けられ、
前記第１の伝達部材は、前記第１の回転係合部と前記第２の回転係合部が係合するとき、前記回転体とともに一体回転するものであって、
前記プラグ規制部材は、前記第１の伝達部材とともに一体回転することにより、前記連動部の移動軌跡上のプラグロック位置と、当該移動軌跡上ではないプラグアンロック位置との間を変位するロック装置。
【請求項５】
請求項１〜４のうちいずれか一項に記載のロック装置において、
前記復帰手段は、第１のトーションスプリングと、
前記回転体に形成され、前記第１のトーションスプリングの両端部をそれぞれ支持できる第１の支持部と、
前記回転体に対し独立して設けられ変位不可とされた第１の独立部に形成され、前記第１のトーションスプリングの両端部をそれぞれ支持できる第２の支持部とを備え、
前記回転体が基準位置とされたとき、前記第１及び第２の支持部は、前記第１のトーションスプリングの両端部を互いに同方向から支持するロック装置。
【請求項６】
請求項４に記載のロック装置において、
前記第１の伝達部材に一端が、当該第１の伝達部材に対し独立して設けられ変位不可とされた第２の独立部に他端がそれぞれ支持される第２のトーションスプリングを備えるロック装置。
【請求項７】
請求項１〜６のうちいずれか一項に記載のロック装置において、
外部から操作可能とされた前記回転体と係合する操作部を備えるロック装置。
【発明の詳細な説明】
【技術分野】
【０００１】
本発明は、給電プラグとこれが接続されるインレットを覆う蓋とをそれぞれロックするロック装置に関する。
【背景技術】
【０００２】
特許文献１には、車両の受電コネクタ（インレット）に接続された給電プラグの引き抜き方向への変位を規制するとともに、受電コネクタが収容される収容部の開口部を閉塞する蓋の開口方向への変位を規制するロック装置が開示されている。このロック装置は、インレットに設けられる爪係合部との係合を通じて同インレットと給電プラグとの接続状態を維持する係止爪の動きを規制する爪ロック位置と、係止爪の動きを許容する爪アンロック位置との間で変位する爪ロックバーを備える。また、ロック装置は、蓋に設けられる蓋係合孔に進入して蓋の開方向への変位を規制する蓋ロック位置と、蓋係合孔から離脱して蓋の開方向への変位を許容する蓋ロック位置との間で変位する蓋ロックバーを備える。これら爪ロックバー及び蓋ロックバーは、それぞれ共通のモータによって回転する回転体に連動する。モータが駆動して回転体が回転することにより、爪ロックバーは爪ロック位置と爪アンロック位置との間を、蓋ロックバーは、蓋ロック位置と蓋アンロック位置との間を、それぞれ変位する。インレットと給電プラグとが接続された状態で、爪ロックバーが爪ロック位置に位置することにより、係止爪と爪係合部との係合の解除が規制されるので、給電プラグとインレットとの接続の解除が規制される。また、蓋が開口部を閉塞した状態で、蓋ロックバーが蓋ロック位置に位置することにより、当該蓋ロックバーと蓋係合孔との係合の解除が規制されるので、蓋の開口方向への変位が規制される。
【先行技術文献】
【特許文献】
【０００３】
【特許文献１】特開２０１１−２４３５００号公報
【発明の概要】
【発明が解決しようとする課題】
【０００４】
この構成によれば、両ロックバーの駆動源を共通とすることにより、ロック装置の設置スペースを小さくすることが可能である。しかし、蓋を開けるには、モータを駆動させて蓋ロックバーを蓋アンロック位置に位置させる必要がある。また、蓋を閉じた状態でロックするには、再度モータを駆動させて、蓋ロックバーが蓋アンロック位置から蓋ロック位置へ変位するのを待たなければならず、使い勝手が悪い。
【０００５】
本発明は、こうした実状に鑑みてなされたものであり、その目的は、単一の駆動源を使用して給電プラグ及び蓋のロックを行う構成を採用しつつも、使い勝手のよいロック装置を提供することにある。
【課題を解決するための手段】
【０００６】
上記課題を解決するために、請求項１に記載の発明は、受電コネクタと接続された給電プラグの引き抜きを規制するプラグロック位置と、当該引き抜きを許容するプラグアンロック位置との間を変位するプラグ規制部材と、前記受電コネクタが収容される収容部の開口部を開閉可能に閉塞するリッドと、前記リッドとの係合を通じて前記開口部が開口される方向への前記リッドの変位を規制するリッドロック位置と、前記開口部が開口される方向への前記リッドの変位を許容するリッドアンロック位置との間を変位するとともに、前記リッドロック位置に向かって常時付勢されるリッド規制部材と、駆動源の駆動に基づき回転する回転体と、前記回転体の基準位置から第１の方向への回転に基づき、前記プラグ規制部材を前記プラグアンロック位置から前記プラグロック位置に変位させ、前記回転体の前記基準位置から第１の方向と逆の第２の方向への回転に基づき、前記リッド規制部材を付勢力に抗して前記リッドロック位置から前記リッドアンロック位置に変位させる駆動機構と、前記第２の方向へ回転した前記回転体を前記基準位置へ復帰させる復帰手段と、を備え、前記リッド規制部材は、前記リッドロック位置に保持された状態で前記リッドが閉じられたとき、前記リッドとの係合を通じて前記アンロック位置へ向けて変位することで、前記リッドによる前記開口部の閉塞を許容し、前記リッドが前記開口部の閉塞位置に達したとき、付勢力により再び前記リッドロック位置へ戻ることを要旨とする。
【０００７】
同構成によれば、受電コネクタと給電プラグとが接続されていない状態、すなわち、リッドが開口部を閉塞できる状態にあるとき、リッド規制部材はリッドロック位置に位置している。そして、リッドが開口部を閉塞する方向へ変位するだけで、リッド規制部材はリッドアンロック位置に変位し、リッドによる開口部の閉塞が許容される。リッドは、リッドロック位置に向かって常時付勢されているので、リッドが開口部に閉塞位置に達すると、リッド規制部材とリッドとが係合する。このように、リッド規制部材のアンロック位置からロック位置への変位を駆動源の駆動力に頼らない構成にしたことによって、単一の駆動源を使用して給電プラグ及びリッドのロックを行う構成を採用しつつも、使い勝手のよいロック装置を提供することができる。
【０００８】
請求項２に記載の発明は、請求項１に記載のロック装置において、前記回転体は、その回転軸回りを回転する第１の回転係合部を備え、前記駆動機構は、前記第１の回転係合部の回動軌跡上に位置する第２の回転係合部を有する第１の伝達部材を備え、前記プラグ規制部材は、前記第１の伝達部材の変位に基づきプラグロック位置とプラグアンロック位置との間で変位することを要旨とする。
【０００９】
同構成によれば、回転体が基準位置から第１の方向へ回転変位したときのみ第１の回転係合部と第２の回転係合部とを係合させて、プラグ規制部材をプラグロック位置からプラグアンロック位置へ変位させることができる。
【００１０】
請求項３に記載の発明は、請求項１又は２に記載のロック装置において、前記回転体は、その回転軸回りを回転する第３の回転係合部を備え、前記駆動機構は、前記第３の回転係合部の回動軌跡上に位置する第４の回転係合部を有する第２の伝達部材を備え、前記リッド規制部材は、前記第２の伝達部材の変位に基づきリッドロック位置とリッドアンロック位置との間で変位することを要旨とする。
【００１１】
同構成によれば、回転体が基準位置から第２の方向へ回転変位したときのみ第３の回転係合部と第４の回転係合部とを係合させて、リッド規制部材をリッドロック位置からリッドアンロック位置へ変位させることができる。
【００１２】
請求項４に記載の発明は、請求項２に記載のロック装置において、前記給電プラグには、変位可能とされた係止爪が、前記受電コネクタには、前記係止爪と係合して両者の接続状態を維持する爪係合部及び前記係止爪が変位するときこれと連れ動きする連動部が、それぞれ設けられ、前記第１の伝達部材は、前記第１の回転係合部と前記第２の回転係合部が係合するとき、前記回転体とともに一体回転するものであって、前記プラグ規制部材は、前記第１の伝達部材とともに一体回転することにより、前記連動部の移動軌跡上のプラグロック位置と、当該移動軌跡上ではないプラグアンロック位置との間を変位することを要旨とする。
【００１３】
同構成によれば、回転することにより、プラグ規制部材は、プラグロック位置に変位する。これにより、連動部の動きが規制される。すなわち、係止爪の変位が規制される。このように、回転体の回転運動を往復運動に変換せずとも、係止爪の変位の規制を通じて受電コネクタから給電プラグが引き抜かれることを規制することができる。すなわち、回転運動を往復運動に変換する構成を省略することができる。
【００１４】
請求項５に記載の発明は、請求項１〜４のうちいずれか一項に記載のロック装置において、前記復帰手段は、第１のトーションスプリングと、前記回転体に形成され、前記第１のトーションスプリングの両端部をそれぞれ支持できる第１の支持部と、前記回転体に対し独立して設けられ変位不可とされた第１の独立部に形成され、前記第１のトーションスプリングの両端部をそれぞれ支持できる第２の支持部とを備え、前記回転体が基準位置とされたとき、前記第１及び第２の支持部は、前記第１のトーションスプリングの両端部を互いに同方向から支持することを要旨とする。
【００１５】
同構成によれば、駆動源の駆動力により回転体が諮詢位置から回転したとき、第１のトーションスプリングの一端は第１の支持部に、他端は第２の支持部に支持されて弾性変形する。従って、駆動源が停止すると、第１のトーションスプリングの弾性力により回転体は基準位置に弾性復帰する。このように、第１のトーションスプリングと第１及び第２の支持部という簡素な構成のみで、回転体を基準位置に復帰させることができる。
【００１６】
請求項６に記載の発明は、請求項４に記載のロック装置において、前記第１の伝達部材に一端が、当該第１の伝達部材に対し独立して設けられ変位不可とされた第２の独立部に他端がそれぞれ支持される第２のトーションスプリングを備えることを要旨とする。
【００１７】
同構成によれば、トーションスプリングとい簡易な構成により、第１の伝達部材をある一つの回転位置に維持することができる。
請求項７に記載の発明は、請求項１〜６のうちいずれか一項に記載のロック装置において、外部から操作可能とされた前記回転体と係合する操作部を備えるロック装置。
【００１８】
同構成によれば、駆動源が何らかの要因により故障した場合でも、操作部への操作を通じて回転体を回転させることができる。すなわち、プラグ規制部材をプラグロック位置とプラグアンロック位置との間で、リッド規制部材をリッドロック位置とリッドアンロック位置との間でそれぞれ変位させることができる。
【発明の効果】
【００１９】
本発明は、単一の駆動源を使用して給電プラグ及び蓋のロックを行う構成を採用しつつも、使い勝手のよいロック装置を提供することができる。
【図面の簡単な説明】
【００２０】
【図１】本発明の一実施形態を示す充電システム及び電子キーシステムの概略構成を示すブロック図。
【図２】同実施形態の給電プラグの概略構成を示す部分断面図。
【図３】同実施形態のインレット部及びロック装置の概略構成を示す断面図。
【図４】同実施形態の同実施形態のインレット部を収容する収容部周辺の外観図。
【図５】同実施形態の給電プラグとインレット部との接続態様を示す斜視図。
【図６】同実施形態のロック装置の分解斜視図。
【図７】同実施形態のロック装置の分解斜視図。
【図８】同実施形態のロック装置の左側面図。
【図９】（ａ）及び（ｂ）は、コントロールシャフトの斜視図。
【図１０】同実施形態のロック装置の右側面図。
【図１１】状態Ａとされたロック装置における（ａ）は、リッドロック機構部の左側面図、（ｂ）は、コントロールピースとコントロールシャフトとの係合状態を示す断面図、（ｃ）は、第１のトーションスプリングの支持態様を示す断面図、（ｄ）は、爪ロックバー規制部と爪ロックバーとの係合状態を示す断面図。
【図１２】状態Ｂとされたロック装置における（ａ）は、リッドロック機構部の左側面図、（ｂ）は、コントロールピースとコントロールシャフトとの係合状態を示す断面図、（ｃ）は、第１のトーションスプリングの支持態様を示す断面図、（ｄ）は、爪ロックバー規制部と爪ロックバーとの係合状態を示す断面図。
【図１３】状態Ｃとされたロック装置における（ａ）は、リッドロック機構部の左側面図、（ｂ）は、コントロールピースとコントロールシャフトとの係合状態を示す断面図、（ｃ）は、第１のトーションスプリングの支持態様を示す断面図、（ｄ）は、爪ロックバー規制部と爪ロックバーとの係合状態を示す断面図。
【図１４】状態Ｄとされたロック装置における（ａ）は、リッドロック機構部の左側面図、（ｂ）は、コントロールピースとコントロールシャフトとの係合状態を示す断面図、（ｃ）は、第１のトーションスプリングの支持態様を示す断面図、（ｄ）は、爪ロックバー規制部と爪ロックバーとの係合状態を示す断面図。
【図１５】（ａ）はヘリカルギアが基準位置とされたときのコントロールピースの回動状態及び第２のトーションスプリングの変形状態を示す側面図、（ｂ）はヘリカルギアが反時計方向に回転したときのコントロールピースの回動状態及び第２のトーションスプリングの変形状態を示す側面図。
【図１６】同実施形態のインレット部と給電プラグとの接続状態を示す断面図。
【図１７】ロック装置の別例を示す分解斜視図。
【図１８】（ａ）（ｂ）（ｃ）は、ロック装置の別例を示す分解斜視図。
【図１９】ロック装置の別例を示す分解斜視図。
【発明を実施するための形態】
【００２１】
以下、本発明をプラグインハイブリッド車に具体化した給電プラグのロック装置の一実施形態を図面に従って説明する。
図１に示すように、車両１には、駆動輪２の駆動源としてエンジンとモータとの駆動力を組み合わせて使用するハイブリッドシステム３が備えられている。このハイブリッドシステム３には、バッテリ４が接続されている。
【００２２】
ハイブリッドシステム３は、エンジンの動力のみを機械的に駆動輪２に伝えて走行するモード、エンジン及びモータの双方で駆動輪２を直接駆動するモード、及びエンジンを使用せずにモータのみで走行するモードを有し、車両の走行状態等に応じて各種走行モードを切り替える。また、ハイブリッドシステム３は、エンジンの動力によってバッテリ４に充電するモード、駆動輪２の制動力をモータによって電力に変換してバッテリ４に充電するモードを有し、車両の走行状態等に応じて各種充電モードを切り替える。車両１は、ハイブリッドシステム３によって切り替わる各種走行モードに応じて走行したり、各種充電モードに応じてバッテリ４へ充電したりする。
【００２３】
バッテリ４には、インレット部５がコンバータ６を介して接続されている。このインレット部５は、車両１の外部電源（交流電源）６１と充電装置６２を介して接続された給電プラグ１０を挿し込むコネクタ部品であって、例えば、図４に示すように、車両１の側面に設けられた収容部１ａに搭載されている。この収容部１ａの側部には、当該収容部１ａの開口部１ｂを閉塞するリッド４０が設けられている。図１に示すように、充電装置６２は、給電プラグ１０がインレット部５に挿入された場合に、その旨示す接続信号を車両１へ発信する。コンバータ６は、給電プラグ１０からインレット部５を介して送り込まれた交流電圧を直流電圧に変換し、この変換した直流電圧をバッテリ４に送る。こうして、外部電源６１からバッテリ４に充電される。
【００２４】
車両１には、例えばユーザが実際に車両キーを操作しなくてもドアの施錠及び解錠等の車両制御が実行される電子キーシステム７０が搭載されている。この電子キーシステム７０では、車両１とユーザに携帯される車両キーとしての電子キー８０との間の無線通信を通じて車両制御が実行される。
【００２５】
電子キーシステム７０を以下に詳細に説明する。車両１に搭載される照合ＥＣＵ７１には、車両１の各ドアに埋設されて車外にＬＦ（Ｌｏｗ  Ｆｒｅｑｕｅｎｃｙ）帯の信号を発信する車外ＬＦ発信機７２と、車内床下に埋設されて車内にＬＦ帯の無線信号を発信する車内ＬＦ発信機７３と、車内後部の車体に埋設されてＵＨＦ（Ｕｌｔｒａ  Ｈｉｇｈ  Ｆｒｅｑｕｅｎｃｙ）帯の無線信号を受信するＵＨＦ受信機７４とが接続されている。なお、照合ＥＣＵ７１は、電子キー８０に対応する固有のＩＤコードが記憶されたメモリ７１ａを備えている。
【００２６】
一方、電子キー８０に搭載される通信制御部８１には、ＬＦ帯の信号を受信するＬＦ受信部８２と、通信制御部８１の指令に従いＵＨＦ帯の信号を発信するＵＨＦ発信部８３とが接続されている。通信制御部８１は、電子キー８０固有のＩＤコードが記憶されたメモリ８１ａを備えている。
【００２７】
照合ＥＣＵ７１は、車外ＬＦ発信機７２からリクエスト信号Ｓｒｑを間欠的に発信させて、車両１の周辺に通信エリアを形成する。電子キー８０を携帯したユーザがこの通信エリアに入り込む等してリクエスト信号ＳｒｑをＬＦ受信部８２が受信すると、通信制御部８１はリクエスト信号Ｓｒｑに応答する形でＵＨＦ発信部８３から自身のメモリ８１ａに登録されたＩＤコードを含ませたＩＤコード信号Ｓｉｄを返信する。照合ＥＣＵ７１は、ＵＨＦ受信機７４でＩＤコード信号Ｓｉｄを受信すると、自身のメモリ７１ａに登録されたＩＤコードと電子キー８０のＩＤコードとのＩＤ照合（車外照合）を行う。そして、照合ＥＣＵ７１は、車外照合が成立すると、図示しないドアロック装置によるドアの解錠を許可又は実行する。
【００２８】
照合ＥＣＵ７１は、車外照合が成立してドアが解錠された後に、車内ＬＦ発信機７３からリクエスト信号Ｓｒｑを発信して車内全域に車内通信エリアを形成する。電子キー８０を携帯したユーザがこの車内通信エリアに入り込む等してリクエスト信号ＳｒｑをＬＦ受信部８２が受信すると、通信制御部８１は、ＵＨＦ発信部８３から自身のメモリ８１ａに登録されたＩＤコードを含ませたＩＤコード信号Ｓｉｄを返信する。照合ＥＣＵ７１は、ＵＨＦ受信機７４でＩＤコード信号Ｓｉｄを受信すると、自身のメモリ７１ａに登録されたＩＤコードと電子キー８０のＩＤコードとのＩＤ照合（車内照合）を行う。照合ＥＣＵ７１は、車内照合が成立すると、ハイブリッドシステム３の始動を許可する。
【００２９】
本実施形態では、車両１に外部電源６１から充電する際にも電子キーシステム７０によるＩＤコードの照合が行われる。車両１には、充電に関わる制御を行う充電ＥＣＵ７５が設けられている。充電ＥＣＵ７５は、図示しない車内ＬＡＮ（Ｌｏｃａｌ  Ａｒｅａ  Ｎｅｔｗｏｒｋ）を介して照合ＥＣＵ７１と通信可能であるとともに、この通信を利用して照合ＥＣＵ７１におけるＩＤ照合の成立結果を確認することができる。また、充電ＥＣＵ７５は、車両１に設けられた取り外しスイッチ７６及びリッドオープンスイッチ７７と電気的に接続されている。さらに、充電ＥＣＵ７５は、インレット部５に設けられたロック装置１００と電気的に接続されている。ロック装置１００は、インレット部５に接続される給電プラグ１０の接続する方向（挿入方向）への変位及びインレット部５に接続された給電プラグ１０の接続を解除する方向（引き抜き方向）への変位を規制するプラグロック状態とこれらを許容するプラグアンロック状態とを切り替えるプラグロック機構部１２０を備えている。また、ロック装置１００は、インレット部５が収容される収容部１ａの開口部１ｂを閉塞するリッド４０が開口部１ｂを開口する方向へ変位することを規制するリッドロック状態とこれを許容するリッドアンロック状態とを切り替えるリッドロック機構部１５０を備えている。さらにロック装置１００は、これらプラグロック機構部１２０のプラグロック状態／プラグアンロック状態、及びリッドロック機構部１５０のリッドロック状態／リッドアンロック状態を切り替えるアクチュエータ機構部１６０を備えている。
【００３０】
充電ＥＣＵ７５は、取り外しスイッチ７６が操作されたときの車外照合の成立結果によってプラグロック機構部１２０のプラグロック状態とプラグアンロック状態とを切り替える。例えば、インレット部５に給電プラグ１０が接続されておらず、プラグロック機構部１２０がプラグロック状態とされている状態で、取り外しスイッチ７６が操作されたとき、充電ＥＣＵ７５は、照合ＥＣＵ７１における車外照合が成立したことを確認して、プラグロック機構部１２０をプラグアンロック状態に切り替える。これにより、インレット部５への給電プラグ１０の接続が許容される、すなわち、当該給電プラグ１０からバッテリ４への充電が許可される。充電ＥＣＵ７５は、インレット部５に給電プラグ１０が接続されて、充電装置６２からの接続信号を受信すると、コンバータ６の制御を通じて、外部電源６１からバッテリ４への充電を開始するとともに、プラグロック機構部１２０をプラグロック状態に切り替える。インレット部５と給電プラグ１０との接続を解除するには、再度取り外しスイッチ７６を操作する。取り外しスイッチ７６が操作されると、充電ＥＣＵ７５は、照合ＥＣＵ７１における車外照合が成立したことを確認して、プラグロック機構部１２０をプラグアンロック状態に切り替える。これにより、インレット部５と給電プラグ１０との接続の解除が許容される。電子キー８０を携帯しない第３者は、プラグロック機構部１２０のロック状態／アンロック状態を切り替えることができないので、インレット部５に接続された状態の給電プラグ１０から盗電したり、当該給電プラグ１０を盗んだりすることはできない。なお、車外通信エリアは、車両周囲の全域に亘り形成されるので、車両１の前部側面に設けられたインレット部５の前にユーザが電子キー８０を携帯して立つことにより、車外照合は問題なく実行される。
【００３１】
充電ＥＣＵ７５は、リッドオープンスイッチ７７が操作されることにより起動するタイマ７５ａを内蔵する。タイマ７５ａの起動時間は、リッドロック機構部１５０をリッドロック状態からリッドアンロック状態に切り替えるのに必要なアクチュエータ機構部１６０を駆動させる時間である。充電ＥＣＵ７５は、リッドオープンスイッチ７７が操作されると、取り外しスイッチ７６が操作されたときと同様に照合ＥＣＵ７１におけるＩＤ照合の成立結果を確認する。そして、当該ＩＤ照合が成立している場合にアクチュエータ機構部１６０を駆動させ、リッドロック機構部１５０をリッドアンロック状態に切り替える。なお、ロック装置１００の詳細な構成については、後述する。
【００３２】
図２に示すように、給電プラグ１０のプラグ本体１１の基端１１ａには、外部電源６１と接続されるケーブル１２が接続されている。プラグ本体１１には、ユーザが把持するグリップ部１３が形成されている。プラグ本体１１の先端１１ｂには、インレット部５に嵌着される円筒状の嵌着部１４が形成されている。嵌着部１４の内部には、複数の接続端子１５が設けられている。接続端子１５は、電力の伝送経路となるパワー端子や、各種制御指令の通信経路となる制御端子等を備える。
【００３３】
この嵌着部１４の上部には、給電プラグ１０とインレット部５とが接続された際に、両者の接続状態を好適に維持するための係止爪１６が設けられている。係止爪１６は、プラグ本体１１の内部に設けられた軸を中心として回動可能に設けられている。係止爪１６は、図２に実線で示す第１の位置と２点鎖線で示す第２の位置との間を変位する。第１の位置は、給電プラグ１０とインレット部５とが接続された際にインレット部５の一部に係合して、両者の接続状態を好適に保持する位置である。また、第２の位置は、インレット部５の一部との係合が解除されて、給電プラグ１０をインレット部５から取り外すことが可能となる位置である。なお、係止爪１６は、通常時において第１の位置に弾性保持されるとともに、プラグ本体１１の上部に設けられて、係止爪１６に連結された操作部１７を押し操作すると第２の位置（傾動状態）へ変位する。操作部１７の操作が解除されると、係止爪１６は第１の位置へ弾性復帰する。
【００３４】
図３に示すように、インレット部５のインレット本体５ａには、給電プラグ１０をインレット部５に接続する際に、嵌着部１４が挿入される円筒部５ｂが形成されている。そして、円筒部５ｂの内部には、複数の接続端子２９が設けられている。接続端子２９は、電力の伝送経路となるパワー端子や、各種制御指令の通信経路となる制御端子等を備える。嵌着部１４が円筒部５ｂに挿入された際、同円筒部５ｂのパワー端子には嵌着部１４のパワー端子が、円筒部５ｂの制御端子には嵌着部１４の制御端子がそれぞれ接続される。
【００３５】
図３に示すように、インレット本体５ａの外周面上部には、係止爪１６と係合する被係止部としての係合部２１が形成されている。係合部２１のプラグ挿入側には、斜面５ｃが形成されている。係合部２１は、係止爪１６の挿入及び傾動を許容する係合凹部２１ａを有する。係止爪１６は、係合凹部２１ａのプラグ挿入側の内面２１ｂに係合する。これにより、給電プラグ１０のインレット部５に対する引き抜き方向への変位が規制される。
【００３６】
図４に示すように、リッド４０は、図示しないヒンジを介して開閉し、閉じた状態において開口部１ｂを閉塞する。開口部１ｂを閉塞した状態のリッド４０の外面は、車両１の意匠面を形成する。インレット部５は、リッド４０が開口部１ｂを閉塞することにより外部環境から保護される。リッド４０の内面には、略Ｕ字状の湾曲板材４１が固着されている。そして、この湾曲板材４１とリッド４０の内面とにより車両上下方向に貫通するリッドロック孔４２が形成されている。なお、リッド４０は、図示しない付勢手段により常時開く方向へ付勢されている。
【００３７】
次に、ロック装置１００について説明する。
図５に示すように、インレット本体５ａの上部には、ロック装置１００を収容するケース１０１が一体形成されている。ケース１０１には、図６に示すように、当該ケース１０１の左側の開口部を閉塞するケースカバー１０２と、図７に示すように、右側の開口部を閉塞するエンドカバー１０３とが取り付けられている。
【００３８】
＜アクチュエータ機構部＞
まず、アクチュエータ機構部１６０について説明する。図６に示すように、アクチュエータ機構部１６０は、モータ１６１、ウォームギア１６２、及びヘリカルギア１６３を備えてなる。このアクチュエータ機構部１６０は、ケース１０１の左側の開口部に固定されるインナーケース１０４に収容されている。インナーケース１０４は、左側が開口している。
【００３９】
インナーケース１０４の上部にはモータ１６１を収容するモータ収容部１０５が、下部にはヘリカルギア１６３を収容するヘリカルギア収容部１０６がそれぞれ形成されている。
【００４０】
モータ１６１は、モータ軸が下側に向かって延びるようにモータ収容部１０５に固定されている。ウォームギア１６２は、モータ軸に固定され、当該モータ軸と一体で回転する。ヘリカルギア１６３は、その回転軸が左右方向に延びるようにヘリカルギア１６３と噛合されている。従って、ウォームギア１６２及びヘリカルギア１６３は、どちらか一方が回転すると他方も回転する。なお、ここでは、モータ１６１が正回転したとき、左方向からみたヘリカルギア１６３は時計方向へ回転するものとする。
【００４１】
図７に示すように、ヘリカルギア１６３には、右方向に向かって延びるヘリカルギア円筒部１６４が形成されている。ヘリカルギア円筒部１６４の中心軸は、ヘリカルギア１６３の回転軸上に形成されている。ヘリカルギア円筒部１６４の筒内面には、第１のヘリカルギア突部（以下、第１のＨ突部）１６５が形成されている。第１のＨ突部１６５は、ヘリカルギア円筒部１６４の内径の半分（１／２）を半径とする４５°の扇形からヘリカルギア円筒部１６４の内径の４分の１（１／４）を半径とする４５°の扇形を取り除いた形状とされている。
【００４２】
また、ヘリカルギア１６３には、ヘリカルギア円筒部１６４と同じく右方向に向かって延びるヘリカルギア半円壁部１６６が形成されている。ヘリカルギア半円壁部１６６の中心軸は、ヘリカルギア円筒部１６４と同軸上、すなわち、ヘリカルギア１６３の回転軸上に形成されている。ヘリカルギア半円壁部１６６は、ヘリカルギア円筒部１６４の外径よりも大きい内径を有する。ヘリカルギア半円壁部１６６が形成される部分の中心角は２１０°とされている。ヘリカルギア１６３の右面からのヘリカルギア円筒部１６４の突出長は、ヘリカルギア半円壁部１６６の突出長よりもインナーケース１０４の左右方向の厚み分だけ長く設定されている。なお、ヘリカルギア円筒部１６４とヘリカルギア半円壁部１６６との間には、第１のトーションスプリング１６９が配設されている。第１のトーションスプリング１６９の両端部は径方向に折り曲げられており、ヘリカルギア半円壁部１６６の両端部に係止される。
【００４３】
図７に示すように、インナーケース１０４において、ヘリカルギア収容部１０６には、ヘリカルギア円筒部１６４の外径より若干大きい内径を有するインナーケース挿通孔１０７が形成されている。これにより、ヘリカルギア１６３がヘリカルギア収容部１０６に収容されると、ヘリカルギア円筒部１６４は、インナーケース挿通孔１０７内に収容される。
【００４４】
図６に示すように、ヘリカルギア収容部１０６には、左方向に向かって延びるインナーケース半円筒壁部１０８が形成されている。インナーケース半円筒壁部１０８の中心軸は、インナーケース挿通孔１０７の中心軸と同軸上とされている。インナーケース半円筒壁部１０８は、ヘリカルギア半円壁部１６６の外径より若干大きい内径を有している。インナーケース半円筒壁部１０８は、図８に示すように、左側から見たとき１２時の位置から９時側の位置を含み５時の位置まで、すなわち、中心角２１０°に亘って形成されている。
【００４５】
図１１（ｃ）に示すように、ヘリカルギア１６３は、ヘリカルギア円筒部１６４がインナーケース挿通孔１０７に挿通されるとともに、ヘリカルギア半円壁部１６６の全体がインナーケース半円筒壁部１０８の内面に沿う状態でヘリカルギア収容部１０６に収容される。これにより、第１のトーションスプリング１６９の両端部は、ヘリカルギア半円壁部１６６の両端部とともにインナーケース半円筒壁部１０８の両端部にも係止される。なお、図１１（ｃ）に示す状態において、ヘリカルギア半円壁部１６６の１２時に位置する端部を第１のヘリカルギア半円筒壁端部（以下、第１のＨ−ｈ端部）１６６ａ、５時に位置する端部を第２のヘリカルギア半円筒壁端部（以下、第２のＨ−ｈ端部）１６６ｂとする。また、第１のトーションスプリング１６９の１２時の方向へ延びる端部を第１のトーションスプリング端部（以下、第１のＴ端部）１７０、５時の方向へ延びる端部を第２のトーションスプリング端部（以下、第２のＴ端部）１７１とする。
【００４６】
例えば、ヘリカルギア１６３に回転力が付加されてヘリカルギア１６３が第１のトーションスプリング１６９の弾性力に抗して時計方向に回転した場合、図１２（ｃ）に示すように、第１のＨ−ｈ端部１６６ａが４時の位置に、第２のＨ−ｈ端部１６６ｂが９時の位置にそれぞれ変位する。このとき、第１のトーションスプリング１６９は、第１のＴ端部１７０が第１のＨ−ｈ端部１６６ａに、第２のＴ端部１７１が第２のＨ−ｈ端部１６６ｂにそれぞれ係止された状態に弾性変形する。この状態で、ヘリカルギア１６３への回転力の付加が解除されると、第１のトーションスプリング１６９が弾性復帰する。これにより、ヘリカルギア１６３は、先とは反対方向、すなわち反時計方向に回転する。
【００４７】
図６に示すように、ヘリカルギア１６３には、左方向に延びるヘリカルギア半円柱部１７２が形成されている。ヘリカルギア半円柱部１７２は、ヘリカルギア１６３の回転軸と同軸上に形成されている。
【００４８】
ヘリカルギア１６３の左面には、第２のヘリカルギア突部（以下、第２のＨ突部）１７３が突設されている。図１１（ａ）に示すように、第２のＨ突部１７３は、ヘリカルギア１６３がヘリカルギア収容部１０６に収容されると、１２時の位置に位置する。
【００４９】
＜プラグロック機構部＞
次に、プラグロック機構部１２０について説明する。図６に示すように、プラグロック機構部１２０は、コントロールピース１２１、コントロールシャフト１２２、及び爪ロックバー１２３を備えてなる。このプラグロック機構部１２０は、ケース１０１においてインナーケース１０４よりも右側に収容されている。
【００５０】
ケース１０１には、インナーケース１０４の右側にコントロールピース１２１を収容するコントロールピース収容部１０９が、更にその右側にはコントロールシャフト１２２を収容するコントロールシャフト収容部１１０が、更にその手前側には爪ロックバー１２３を収容する爪ロックバー収容部１１１が、それぞれ形成されている。コントロールシャフト収容部１１０は、コントロールピース収容部１０９と連続する。また、爪ロックバー収容部１１１は、コントロールシャフト収容部１１０と連続する。
【００５１】
コントロールピース１２１は、中心軸が左右方向に延びる円板状のピース本体１２４を有する。ピース本体１２４には、左方向に向かって延びる回転軸１２５が形成されている。回転軸１２５は、ヘリカルギア円筒部１６４の内径の４分の１（１／４）よりも若干小さい半径を有する第１の半円柱１２６と、ヘリカルギア円筒部１６４の内径の半分（１／２）よりも若干小さい半径を有する第２の半円柱１２７とを互いが有する曲面が反対側に位置するように平面同士で組み合わせた形状とされている。回転軸１２５は、ヘリカルギア円筒部１６４に挿入される。これにより、第２の半円柱１２７は、第１のＨ突部１６５の回転軌跡上に位置する。なお、図１１（ｂ）に示すように、第１の半円柱１２６が下側、第２の半円柱１２７が上側に位置するときの第２の半円柱１２７の手前側の端部を第１の回転軸端部（以下、第１のＫ端部）１２７ａ、奥側の端部を第２の回転軸端部（以下、第２のＫ端部）１２７ｂとする。
【００５２】
図７に示すように、ピース本体１２４の右面中央部には、半円筒状の凹部１２８が形成されている。また、ピース本体１２４の右面には、ピース本体１２４の径方向に突出する半円押部１２９が形成されている。さらに、ピース本体１２４には、径方向に突出する半円板部１３０が形成されている。半円板部１３０は、凹部１２８を挟んで半円押部１２９とは反対側に形成されている。図６に示すように、半円板部１３０の左面には、ピース側係止ピン１３１が突設されている。
【００５３】
図１５（ａ）に示すように、ケース１０１の内面には、半円押部１２９によって押される第１及び第２のマイクロスイッチ１１２，１１３が固着されている。第１のマイクロスイッチ１１２は、半円押部１２９が１２時の位置に位置したときに押圧される。第２のマイクロスイッチ１１３は、半円押部１２９が７時の位置に位置したときに押圧される。なお、第１及び第２のマイクロスイッチ１１２，１１３は、充電ＥＣＵ７５と電気的に接続されている。第１及び第２のマイクロスイッチ１１２，１１３は、半円押部１２９によって押されると、押された旨示す電気信号を充電ＥＣＵ７５に出力する。充電ＥＣＵ７５は、第１及び第２のマイクロスイッチ１１２，１１３から入力される電気信号を通じて、コントロールピース１２１の回転状態を認識する。
【００５４】
また、図６に示すように、ケース１０１の内面には、左側に向かうケース側係止ピン１１４が突設されている。ケース側係止ピン１１４及びピース側係止ピン１３１によって、第２のトーションスプリング１１５が支持されている。図１５（ｂ）に示すように、第２のトーションスプリング１１５は、コイル部分がコントロールピース１２１よりも手前側に位置するように支持されている。同図１５（ｂ）に示すように、半円押部１２９が７時の位置に位置し第２のマイクロスイッチ１１３を押している、すなわち、半円板部１３０（ピース側係止ピン１３１）が１時の位置に位置しているとき、第２のトーションスプリング１１５は、平衡状態、すなわち、ケース側係止ピン１１４及びピース側係止ピン１３１を付勢しない状態である。この状態からコントロールピース１２１が時計方向又は反時計方向に回転した場合には、第２のトーションスプリング１１５は弾性変形し、先の平衡状態に弾性復帰しようとする。これにより。コントロールピース１２１は、半円押部１２９が７時の位置に位置するように回転する。なお、図１５（ａ）に示すように、半円押部１２９が１２時の位置に位置し第１のマイクロスイッチ１１２を押している、すなわち、半円板部１３０（ピース側係止ピン１３１）が６時の位置に位置しているとき、第２のトーションスプリング１１５は、弾性変形しているので、先の平衡状態に弾性復帰しようとする。しかし、第２のトーションスプリング１１５によってピース側係止ピン１３１に付加される力の向きは、コントロールピース１２１の回転軸を通る。このため、コントロールピース１２１には、ピース側係止ピン１３１に付加される力に起因する回転モーメントが生じない。従って、半円押部１２９が１２時の位置に位置し第１のマイクロスイッチ１１２を押す状態に維持される。
【００５５】
図６に示すように、円筒状に形成されたコントロールシャフト収容部１１０は、コントロールシャフト１２２を収容する。図９（ａ）に示すように、コントロールシャフト１２２は、第１の軸部１２２ａ、爪ロックバー規制部１２２ｂ、及び第２の軸部１２２ｃからなる。
【００５６】
図９（ｂ）に示すように、円柱状とされた第１の軸部１２２ａの左側の端部には、半円柱状の接続部１３５が形成されている。接続部１３５の外径は、凹部１２８の内径よりも若干小さく設定されている。これにより、接続部１３５が凹部１２８に挿入される。このため、コントロールシャフト１２２は、コントロールピース１２１と一体で回転する。なお、第１の軸部１２２ａには、リング状のリップシール１３６が配設されている。接続部１３５が凹部１２８に挿入されると、リップシール１３６は、コントロールピース収容部１０９側のコントロールシャフト収容部１１０の内壁と密着する。これにより、コントロールピース１２１とコントロールシャフト１２２との間における液密が確保される。
【００５７】
図９（ａ）及び図９（ｂ）に示すように、第１の軸部１２２ａの右側に連続する爪ロックバー規制部１２２ｂは、半円柱状とされている。爪ロックバー規制部１２２ｂは、第１の軸部１２２ａの中心軸と同軸上に形成されている。図１１（ｄ）に示すように、爪ロックバー規制部１２２ｂの外径は、コントロールシャフト収容部１１０の内径よりも小さい。なお、爪ロックバー規制部１２２ｂは、図１３（ｄ）に示すように、１２時の位置から３時を含み６時の位置まで位置する爪ロックバーロック位置と、図１１（ｄ）に示すように、４時の位置から７時を含み１０時の位置まで位置する爪ロックバーアンロック位置との間で変位する。
【００５８】
図９（ａ）に示すように、爪ロックバー規制部１２２ｂの右側に連続する第２の軸部１２２ｃは、円柱状とされている。第２の軸部１２２ｃは、第１の軸部１２２ａの中心軸と同軸上に形成されている。
【００５９】
図７に示すように、コントロールシャフト収容部１１０の手前側には、爪ロックバー収容部１１１が連続する。爪ロックバー収容部１１１は、係合部２１の上側において外部に開口している。
【００６０】
図１０に示すように、爪ロックバー収容部１１１には、右方向から見るとＴ字状の爪ロックバー１２３が収容されている。爪ロックバー１２３は、奥側から手前側に向かって延びる横棒部材１３７と、当該横棒部材１３７の中央部から下側に向かって延びる縦棒部材１３８とからなる。縦棒部材１３８の先端部には、左右方向に貫通する貫通孔１３９が形成されている。貫通孔１３９には、回転軸１４０が挿嵌されている。回転軸１４０は、ケース１０１と、当該ケース１０１の右側の開口部を閉塞するエンドカバー１０３とによって回転可能に軸支されている。すなわち、爪ロックバー１２３は、回転軸１４０を中心に回転可能とされている。
【００６１】
横棒部材１３７の奥側の端部は、奥側、すなわちコントロールシャフト１２２に向かうに従って徐々に上下方向の厚みが薄くなる薄肉部１４１とされている。薄肉部１４１は、コントロールシャフト１２２の爪ロックバー規制部１２２ｂと、そのコントロールシャフト収容部１１０の上底面との間に位置する。図１０において実線で示すように、爪ロックバー１２３は、薄肉部１４１の上面がコントロールシャフト収容部１１０の上底面と接するバー水平状態と、一点鎖線で示すように、薄肉部１４１の下面がコントロールシャフト収容部１１０の下底面と接するバー傾動状態との間で変位可能とされている。なお、回転軸１４０を中心とした薄肉部１４１の回動軌跡上には、爪ロックバー規制部１２２ｂの回動軌跡が含まれる。従って、図１３（ｄ）に示すように、爪ロックバー規制部１２２ｂが薄肉部１４１の回動軌跡上に位置する、すなわち、爪ロックバーロック状態にあるとき、爪ロックバー１２３は、爪ロックバー規制部１２２ｂに当接するため、バー水平状態からバー傾動状態へ変位することができない。
【００６２】
なお、回転軸１４０には、第３のトーションスプリング１１６が装着されている。第３のトーションスプリング１１６の両端部は、それぞれ、薄肉部１４１の下側の面とコントロールシャフト収容部１１０の下底面とに係合している。薄肉部１４１は、第３のトーションスプリング１１６の弾性力により、常時、上方に向かって付勢される。このため、通常、爪ロックバー１２３は、バー水平状態に維持される。
【００６３】
図１０に示すように、横棒部材１３７の手前側の端部は、係合部２１の上方に突出する係止爪ロック部１４２とされている。この係止爪ロック部１４２の先端部には、手前側に向かうに従って徐々に上方に傾斜する爪案内面１４３が形成されている。これにより、爪ロックバー規制部１２２ｂが爪ロックバーアンロック状態にあるとき、例えば、係止爪１６によって爪案内面１４３が手前から奥側に向かって押圧されれば、爪ロックバー１２３は、回転軸１４０を中心として右回転し、バー傾動状態に変位する。
【００６４】
＜リッドロック機構部＞
次にリッドロック機構部１５０について説明する。図６に示すように、リッドロック機構部１５０は、リッド４０の開く方向への変位を規制するリッドロックバー１５１と、当該リッドロックバー１５１にヘリカルギア１６３の回転を伝達するリンク１５２とからなる。
【００６５】
図６に示すように、ケース１０１において、ヘリカルギア収容部１０６の手前側には、リッドロックバー１５１を収容するリッドロックバー収容部１１７が形成されている。リッドロックバー収容部１１７は、手前側からみたとき、インレット部５の左上方に位置する。なお、リッドロックバー収容部１１７の内壁には、左方向に向かう円柱ピン１１８が突設されている。
【００６６】
図６に示すように、リンク１５２は、棒状部材であって、その中央部には円柱ピン１１８の外径よりも若干大きい内径を有するリンク回転孔１５３が形成されている。リンク回転孔１５３には、円柱ピン１１８が挿通される。これにより、リンク１５２は、リンク回転孔１５３を中心に回転可能に軸支される。
【００６７】
図６に示すように、リンク１５２の奥側の端部には、第２のＨ突部１７３の回転軌跡上に突出する第１の係合ピン１５４が形成されている。また、リンク１５２の手前側の端部には、右方向に向かう第２の係合ピン１５５が突設されている。このため、図１２ａに示すように、ヘリカルギア１６３が時計方向に回転して、第２のＨ突部１７３が第１の係合ピン１５４を押し下げると、第２の係合ピン１５５は持ち上がる。
【００６８】
図６に示すように、リッドロックバー収容部１１７の下底部には、円筒状のバー挿通孔１１９が形成されている。このバー挿通孔１１９は、リッド４０が閉じた状態のリッドロック孔４２と対向する。
【００６９】
図６に示すように、リッドロックバー１５１は、直方体である角柱部１５６とその下側に連続する円柱部１５７とからなる。角柱部１５６の下底面における対角線の長さは、バー挿通孔１１９の内径よりも大きく設定されている。また、円柱部１５７の外径は、バー挿通孔１１９の内径よりも小さく設定されている。このため、図８に示すように、リッドロックバー１５１は、リッドロックバー収容部１１７の下底部に角柱部１５６が係止されるとともに、バー挿通孔１１９から円柱部１５７が突出した状態（リッドロック位置）で、リッドロックバー収容部１１７に収容される。円柱部１５７の先端部には、奥側に向かうに従って徐々に下方に傾斜するバー案内面１５８が形成されている。当該バー案内面１５８は、リッド４０の開閉によって変位する湾曲板材４１（リッドロック孔４２）の回動軌跡上に位置する。これにより、湾曲板材４１によってバー案内面１５８が手前から奥側に向かって押圧されれば、リッドロックバー１５１は、図１２（ａ）に示すように、円柱部１５７の上部がリッドロックバー収容部１１７に収容されたリッドアンロック位置に変位する。これにより、リッド４０の更なる奥側への変位が許容される。
【００７０】
図８に示すように、角柱部１５６の左側の側部には、第２の係合ピン１５５の外径よりも若干大きい内径を有するバー凹部１５９が設けられている。バー凹部１５９には、図１２（ａ）に示すように、第２の係合ピン１５５が挿入される。このため、第１の係合ピン１５４が第２のＨ突部１７３に押し下げられることによって、第２の係合ピン１５５が押し上げられれば、リッドロックバー１５１は、押し上げられて、リッドアンロック位置に変位する。
【００７１】
なお、角柱部１５６の上面とリッドロックバー収容部１１７の上底面との間には、コイルばね１８０が配設されている。コイルばね１８０は、リッドロックバー１５１を常時下方に向かって付勢する。従って、コイルばね１８０の弾性力により、リッドロックバー１５１がリッドアンロック位置からリッドロック位置に押し下げられるとき、第２の係合ピン１５５も押し下げられる。第２の係合ピン１５５が押し下げられれば、第１の係合ピン１５４が押し上げられる。このとき、第１の係合ピン１５４と第２のＨ突部１７３の下面とが当接していれば、ヘリカルギア１６３は反時計方向へと回転する。
【００７２】
図６に示すように、ケース１０１の左側の開口部を閉塞するケースカバー１０２には、ヘリカルギア１６３のヘリカルギア半円柱部１７２の外径より若干大きい内径を有するケースカバー挿通孔１８１が形成されている。このため、ケースカバー１０２がケース１０１に取り付けられると、ヘリカルギア半円柱部１７２が外部に突出する。突出したヘリカルギア半円柱部１７２には、操作レバー１８２が固定される。このため、操作レバー１８２の操作を通じて、ヘリカルギア１６３を回転させることができる。なお、操作レバー１８２は、図示しないトランクルーム内に突出する。
【００７３】
＜ロック装置の動作＞
次に、給電プラグ１０からバッテリ４に充電を行うときの、ロック装置１００の動作について説明する。本実施形態では、車両１の走行用の駆動源が停止している状態を想定して説明する。このとき、図１１（ａ）に示すように、第２のＨ突部１７３は１２時の位置、リッドロックバー１５１はリッドロック位置、図１１（ｂ）に示すように、第１のＨ突部１６５は３時の位置、図１１（ｃ）に示すように、第１のＨ−ｈ端部１６６ａは１２時の位置、第２のＨ−ｈ端部１６６ｂは５時の位置に、それぞれ位置するものとする。また、図１１（ｂ）に示すように、第１のＫ端部１２７ａは２時の位置、第２のＫ端部１２７ｂは８時の位置、図１１（ｄ）に示すように、爪ロックバー規制部１２２ｂは爪ロックバーアンロック位置に、それぞれ位置するものとする。すなわち、爪ロックバー１２３は傾動状態へ変位可能とされている。このロック装置１００の状態を状態Ａとする。なお、この状態（Ａ）において、第１のＨ突部１６５は、第１のＫ端部１２７ａと接している。ここで、リッド４０は、閉じた状態であるものとする。すなわち、リッド４０によりインレット部５は外部環境から保護されているので、給電プラグ１０をインレット部５へ接続することはできない。なお、このとき、図１５（ａ）に示すように、半円押部１２９は１２時の位置に位置しており、第１のマイクロスイッチ１１２を押している。
【００７４】
ユーザにより、リッドオープンスイッチ７７が押下されると、当該スイッチ７７が操作された旨示す信号が充電ＥＣＵ７５に入力される。充電ＥＣＵ７５は、リッドオープンスイッチ７７が操作された旨示す信号が入力されると、照合ＥＣＵ７１における車外照合が成立したか否かを確認する。充電ＥＣＵ７５は、車外照合が成立したことを確認すると、タイマ７５ａを起動させるとともに、当該タイマ７５ａが起動している間、モータ１６１が正回転方向に駆動するように駆動信号を出力する。これにより、リッド４０のアンロック動作が開始される。
【００７５】
モータ１６１が正回転駆動すると、ヘリカルギア１６３は時計方向に回転し、ロック装置１００は図１２（ａ）〜図１２（ｄ）に示す状態Ｂに移行する。図１２（ａ）に示すように、第２のＨ突部１７３は時計方向に変位することにより、第１の係合ピン１５４を押し下げる。すなわち、第２の係合ピン１５５がコイルばね１８０の付勢力に抗してリッドロックバー１５１を押し上げる。従って、リッドロックバー１５１は、リッドアンロック位置に位置する。これにより、リッドロックバー１５１のリッドロック孔４２への挿通が解除される。リッド４０は、図示しない付勢手段によって開く方向へ付勢されているので、リッドロックバー１５１のリッドロック孔４２への挿通が解除されることにより、開く方向へ変位する。従って、リッド４０によるインレット部５の保護が解除される。
【００７６】
また、図１２（ｃ）に示すように、このとき、第１のＨ−ｈ端部１６６ａが４時の位置に、第２のＨ−ｈ端部１６６ｂが９時の位置にそれぞれ変位する。すなわち、第１のトーションスプリング１６９は、第１のＴ端部１７０が第１のＨ−ｈ端部１６６ａに、第２のＴ端部１７１がインナーケース半円筒壁部１０８の５時の位置の端部にそれぞれ係止された状態に弾性変形する。
【００７７】
なお、第１のＨ突部１６５は、図１２（ｂ）に示すように、時計方向へ変位するものの、７時の位置で停止する。すなわち、第１のＨ突部１６５は、第２のＫ端部１２７ｂを押さない。このため、回転軸１２５、すなわち、コントロールピース１２１は回転しない。従って、コントロールシャフト１２２も回転しない。このため、図１２（ｄ）に示すように、爪ロックバー規制部１２２ｂは爪ロックバーアンロック位置に維持される。また、半円押部１２９は、第１のマイクロスイッチ１１２を押した状態のままである。
【００７８】
図１２（ａ）に示すように、リッドロックバー１５１がリッドアンロック位置に変位したとき、すなわち、第２のＨ突部１７３が第１の係合ピン１５４を押し下げるまでヘリカルギア１６３が回転したとき、タイマ７５ａが停止する。すなわち、充電ＥＣＵ７５からモータ１６１への駆動信号の出力が停止される。すると、モータ１６１からヘリカルギア１６３への時計方向への回転力の付与が停止する。このとき、図１２（ｃ）に示すように、ヘリカルギア１６３には、第１のトーションスプリング１６９が弾性復帰する力によって、反時計方向への回転力が付与されている。従って、ヘリカルギア１６３は、反時計方向へ回転し、ロック装置１００の状態は、図１１（ａ）〜図１１（ｄ）に示す状態Ａに戻る。このとき、リッド４０は開いている。また、爪ロックバー規制部１２２ｂは爪ロックバーアンロック位置に維持されている。すなわち、爪ロックバー１２３は傾動状態への変位が可能とされている。これらのことから、インレット部５と給電プラグ１０との接続が可能である。
【００７９】
図５に示すように、嵌着部１４と円筒部５ｂ、係止爪１６と係合部２１の係合凹部２１ａとの位置を合わせた状態で給電プラグ１０をインレット部５側へ動かす。図１６に示すように、係止爪１６は、これを第１の位置に保持しようとする弾性力に抗して斜面５ｃに案内されて上方へ変位する。そして、更に給電プラグ１０をインレット部５側へ動かすと、同図にて２点鎖線で示すように、係止爪１６は、斜面５ｃを乗り越えて係合凹部２１ａに至る。この際、係止爪１６の先端部は、爪ロックバー１２３の爪案内面１４３を押圧し、爪ロックバー１２３を傾動状態に変位させる。そして、更に給電プラグ１０をインレット部５側へ動かすと、係止爪１６はこれを第１の位置に保持しようとする弾性力により下方へ変位して係合凹部２１ａの内面に係合する（図１６の実線）。このとき、給電プラグ１０の接続端子１５とインレット部５の接続端子２９とが好適に接続された状態となる。これにより、給電プラグ１０とインレット部５とが電気的に接続された状態となる。
【００８０】
給電プラグ１０とインレット部５とが接続されると、充電ＥＣＵ７５は、充電装置６２からの接続信号を受信する。接続信号の受信を通じて充電ＥＣＵ７５は、給電プラグ１０とインレット部５との接続を認識する。そして、充電ＥＣＵ７５は、外部電源６１からバッテリ４への充電を開始するとともに、爪ロックバー規制部１２２ｂを爪ロックバーロック状態へ移行させるべくモータ１６１へ逆回転方向に駆動する旨示す駆動信号を出力する。これにより、給電プラグ１０のロック動作が開始される。
【００８１】
モータ１６１が逆回転駆動すると、ヘリカルギア１６３は反時計方向へ回転し、ロック装置１００は、図１３（ａ）〜図１３（ｄ）に示す状態Ｃに移行する。図１３（ｂ）に示すように、第１のＨ突部１６５は、反時計方向へ変位することにより、第１のＫ端部１２７ａを反時計方向へ押圧する。すなわち、コントロールピース１２１及びコントロールシャフト１２２が反時計方向へ回転する。これにより、図１５（ｂ）に示すように、半円押部１２９が第２のマイクロスイッチ１１３を押す。第２のマイクロスイッチ１１３は、半円押部１２９に押されることにより、その旨示す電気信号を充電ＥＣＵ７５に出力する。充電ＥＣＵ７５は、第２のマイクロスイッチ１１３から電気信号が入力されることにより、モータ１６１への駆動信号の出力を停止する。これにより、ヘリカルギア１６３の反時計方向への回転が停止する。なお、このとき、第２のトーションスプリング１１５は、平衡状態とされている。
【００８２】
図１３（ｄ）に示すように、コントロールシャフト１２２の回転により、爪ロックバー規制部１２２ｂは爪ロックバーロック状態となる。従って、爪ロックバー１２３の傾動状態への変位が規制される。爪ロックバー１２３が傾動状態に変位できなければ、係止爪１６と係合凹部２１ａとの係合を解除できないので、インレット部５から給電プラグ１０を引き抜くことが規制される。また、このとき、図１３（ｃ）に示すように、第１のＨ−ｈ端部１６６ａが８時の位置に、第２のＨ−ｈ端部１６６ｂが１時の位置にそれぞれ変位する。すなわち、第１のトーションスプリング１６９は、第１のＴ端部１７０がインナーケース半円筒壁部１０８の１２時の位置の端部に、第２のＴ端部１７１が第２のＨ−ｈ端部１６６ｂにそれぞれ係止された状態に弾性変形する。
【００８３】
なお、第２のＨ突部１７３は、図１３（ａ）に示すように、反時計方向へ変位するものの、８時の位置で停止する。すなわち、第２のＨ突部１７３は、第１の係合ピン１５４と係合しない。従って、リッドロックバー１５１は、リッドロック位置に維持される。
【００８４】
充電ＥＣＵ７５からモータ１６１への駆動信号の出力が停止されると、モータ１６１からヘリカルギア１６３への反時計方向への回転力の付与が停止する。このとき、図１３（ｃ）に示すように、ヘリカルギア１６３には、第１のトーションスプリング１６９が弾性復帰する力によって、時計方向への回転力が付与されている。従って、ヘリカルギア１６３は、時計方向へ回転する。これにより、ロック装置１００は、図１４（ａ）〜図１４（ｄ）に示す状態Ｄとなる。図１４（ｂ）に示すように、ヘリカルギア１６３の時計方向への回転の際、第１のＨ突部１６５は、第２のＨ−ｈ端部１６６ｂと当接しないので、コントロールピース１２１及びコントロールシャフト１２２は回転しない。従って、図１４（ｄ）に示すように、爪ロックバー規制部１２２ｂの爪ロックバーロック状態が維持される。このため、インレット部５から給電プラグ１０を引き抜くことが規制された状態が維持される。なお、第１のＨ突部１６５と回転軸１２５との間の摺動抵抗により、ヘリカルギア１６３の時計方向への回転に伴いコントロールピース１２１にも回転モーメントが作用することも考えられる。しかし、平衡状態にある第２のトーションスプリング１１５が、コントロールピース１２１の位置状態を保持する。
【００８５】
次に、インレット部５から給電プラグ１０を引き抜くときの、ロック装置１００の動作について説明する。
充電ＥＣＵ７５は、取り外しスイッチ７６が操作された旨示す信号が入力されると、照合ＥＣＵ７１における車外照合が成立したか否かを確認する。充電ＥＣＵ７５は、車外照合が成立したことを確認すると、モータ１６１が正回転方向に駆動するように駆動信号を出力する。これにより、リッド４０のアンロック動作が開始される。なお、取り外しスイッチ７６が操作されても、充電ＥＣＵ７５は、タイマ７５ａを起動させない。
【００８６】
モータ１６１が正回転駆動すると、ヘリカルギア１６３は時計方向に回転し、ロック装置１００は、図１２（ａ）〜図１２（ｄ）に示す状態Ｂに移行する。図１２（ｂ）に示すように、第１のＨ突部１６５は、時計方向へ変位することにより、第２のＫ端部１２７ｂを時計方向へ押圧する。すなわち、図１２（ｄ）に示すように、コントロールピース１２１及びコントロールシャフト１２２が時計方向へ回転する。図１５（ａ）に示すように、このコントロールピース１２１の時計方向への回転により、半円押部１２９が第１のマイクロスイッチ１１２を押すと、当該第１のマイクロスイッチ１１２は押された旨示す電気信号を充電ＥＣＵ７５に出力する。充電ＥＣＵ７５は、第１のマイクロスイッチ１１２から電気信号が入力されると、モータ１６１の駆動信号の出力を停止する。これにより、ヘリカルギア１６３の時計方向への回転が停止する。
【００８７】
図１２（ｄ）に示すように、コントロールシャフト１２２の反時計方向への回転により、爪ロックバー規制部１２２ｂは爪ロックバーアンロック状態となる。従って、爪ロックバー１２３の傾動状態への変位が可能となる。このため、インレット部５からの給電プラグ１０の取り外しが可能となる。また、このとき、図１２（ｃ）に示すように、第１のＨ−ｈ端部１６６ａが４時の位置に、第２のＨ−ｈ端部１６６ｂが９時の位置にそれぞれ変位する。すなわち、第１のトーションスプリング１６９は、第１のＴ端部１７０が第１のＨ−ｈ端部１６６ａに、第２のＴ端部１７１がインナーケース半円筒壁部１０８の５時の位置の端部にそれぞれ係止された状態に弾性変形する。
【００８８】
充電ＥＣＵ７５からモータ１６１への正回転方向に駆動する旨示す駆動信号の出力が停止されると、第１のトーションスプリング１６９の弾性復帰に伴い、ロック装置１００の状態は、図１１（ａ）〜図１１（ｄ）に示す状態Ａに戻る。このとき、図１１（ｄ）に示すように、爪ロックバー規制部１２２ｂは爪ロックバーアンロック位置に維持されている。すなわち、爪ロックバー１２３は傾動状態への変位が可能とされている。これにより、係止爪１６と係合凹部２１ａとの係合を解除できるので、インレット部５から給電プラグ１０を引き抜くことができる。
【００８９】
なお、リッドロックバー１５１はリッドロック位置に位置している。インレット部５から給電プラグ１０を引き抜かれた後、ユーザがリッド４０を閉じ操作すると、リッド４０の湾曲板材４１がリッドロックバー１５１のバー案内面１５８を押圧することにより、リッドロックバー１５１は、リッドアンロック位置に変位する。そして、リッド４０が開口部１ｂを閉塞した状態、すなわち、リッドロック孔４２とバー挿通孔１１９とが対向した状態となると、リッドロックバー１５１は、コイルばね１８０の付勢力により、リッドロック位置に変位する。従って、リッドロックバー１５１は、リッドロック孔４２に挿通される。これにより、リッド４０の開く方向への変位が規制される。
【００９０】
なお、ロック装置１００は、ヘリカルギア１６３と一体回転する操作レバー１８２を備えている。この操作レバー１８２は、外部から操作可能とされている。すなわち、操作レバー１８２の操作を通じて、ヘリカルギア１６３を回転させることができる。これにより、例えば、モータ１６１が何らかの要因により故障し、モータ１６１の駆動力を通じてヘリカルギア１６３を回転させることができなくても、操作レバー１８２の操作を通じて、これを回転させることができる。すなわち、爪ロックバー規制部１２２ｂを爪ロック位置と爪アンロック位置との間で、リッドロックバー１５１をリッドロック位置とリッドアンロック位置との間で変位させることができる。これにより、インレット部５に給電プラグ１０を抜き差しできない事態を生じさせないようにすることができる。
【００９１】
以上詳述したように、本実施形態によれば、以下に示す効果が得られるようになる。
（１）リッドロックバー１５１をリッドロック位置に向けて付勢するコイルばね１８０を設けた。また、リッドロックバー１５１の先端部に、リッド４０の湾曲板材４１が押圧されることにより自身がリッドアンロック位置に変位するバー案内面１５８を設けた。これにより、リッド４０を閉じ操作するのみで、リッドロックバー１５１がリッドロック位置に変位してリッドロック孔４２に挿入されるので、当該リッド４０を開口部１ｂを閉塞した状態に維持することができる。このように、リッド４０のアンロック、及び係止爪１６のロック／アンロックは、単一のモータ１６１を利用して行いつつも、リッド４０のロック時には、モータ１６１を動作させる必要がなく、リッド４０を閉じるだけでこれをロックすることができるので使い勝手がよい。
【００９２】
（２）ヘリカルギア１６３に当該ヘリカルギア１６３の回転軸上に中心軸を有するヘリカルギア円筒部１６４を設けた。そして、このヘリカルギア円筒部１６４の筒内面にヘリカルギア１６３の回転軸回りを回転する第１のヘリカルギア突部（第１のＨ突部）１６５を設けた。また、コントロールピース１２１にヘリカルギア円筒部１６４内に収容される回転軸１２５を設けた。回転軸１２５は、第１のＨ突部１６５の回転軌跡上に位置する第２の半円柱１２７を有する。これにより、ヘリカルギア１６３が時計方向に回転したとき第１のＨ突部１６５と第２の半円柱１２７とが係合しコントロールピース１２１を回転させることができる。ひいては、コントロールピース１２１とともにコントロールシャフト１２２が一体回転して爪ロックバー規制部１２２ｂを爪ロックバーロック位置に位置させることができる。
【００９３】
（３）ヘリカルギア１６３に当該ヘリカルギア１６３の回転軸回りを回転する第２のヘリカルギア突部（第２のＨ突部）１７３を設けた。また、ケース１０１に形成された円柱ピン１１８にリンク回転孔１５３を通じて回転支持されるリンク１５２に、第２のＨ突部１７３の回転軌跡上に位置する第１の係合ピン１５４を設けた。またリンク１５２には、リンク回転孔１５３を挟んで第１の係合ピン１５４と反対側に第２の係合ピン１５５を設けた。第２の係合ピン１５５は、リッドロックバー１５１と係合する。これにより、ヘリカルギア１６３が反時計方向に回転したときのみ第２のＨ突部１７３と第１の係合ピン１５４とが係合しリンク１５２を回転させることができる。ひいては、リンク１５２の回転に伴う第２の係合ピン１５５の変位により、リッドロックバー１５１をリッドアンロック位置に位置させることができる。
【００９４】
（４）コントロールピース１２１と一体回転するコントロールシャフト１２２にＣ字状とされた爪ロックバー規制部１２２ｂを設けた。そして、爪ロックバー１２３が傾動状態に変位する際の当該爪ロックバー１２３の移動軌跡上に爪ロックバー規制部１２２ｂが、位置するようにした。これにより、コントロールピース１２１が回転するだけで、爪ロックバー規制部１２２ｂは、爪ロックバー１２３の係動状態への変位を規制することができる。
【００９５】
（５）ヘリカルギア１６３にヘリカルギア半円壁部１６６を設けた。このヘリカルギア半円壁部１６６は、インナーケース半円筒壁部１０８が形成される部分に対応する。そして、これらヘリカルギア半円壁部１６６及びインナーケース半円筒壁部１０８に支持される第１のトーションスプリング１６９を設けた。従って、モータ１６１の駆動力によりヘリカルギア１６３が回転すると第１のトーションスプリング１６９は、その一端がヘリカルギア半円壁部１６６に他端がインナーケース半円筒壁部１０８にそれぞれ支持されつつ弾性変形する。これにより、モータ１６１の駆動力が停止すると第１のトーションスプリング１６９が弾性復帰することによりヘリカルギア１６３が基準位置へ復帰する。このように、モータ１６１を駆動させてヘリカルギア１６３を回転させずとも当該ヘリカルギア１６３を基準位置へ復帰させることができるので、モータ１６１で消費される電力を抑制することができる。
【００９６】
（６）ヘリカルギア１６３と一体回転する操作レバー１８２を設けた。この操作レバー１８２は、外部から操作可能とされている。すなわち、操作レバー１８２の操作を通じて、ヘリカルギア１６３を回転させることができる。これにより、例えば、モータ１６１が何らかの要因により故障し、モータ１６１の駆動力を通じてヘリカルギア１６３を回転させることができなくても、操作レバー１８２の操作を通じて、これを回転させることができる。すなわち、爪ロックバー規制部１２２ｂを爪ロック位置と爪アンロック位置との間で、リッドロックバー１５１をリッドロック位置とリッドアンロック位置との間で変位させることができる。これにより、インレット部５に給電プラグ１０を抜き差しできない事態を生じさせないようにすることができる。
【００９７】
なお、上記実施形態は以下のように変更してもよい。
・上記実施形態において、ヘリカルギア１６３に第１のＨ突部１６５を、コントロールピース１２１に第２の半円柱１２７によって形成される第１及び第２のＫ端部１２７ａ，１２７ｂを設けたが、これらを逆に設けてもよい。すなわち、図１７に示すように、ヘリカルギア１６３に第１及び第２のＫ端部１２７ａ，１２７ｂに相当する第１の回転係合部材１９０を、コントロールピース１２１に第１のＨ突部１６５に相当し第１の回転係合部材１９０の回動軌跡上に位置する第２の回転係合部材１９１を設ける。このように構成した場合でも、上記実施形態と同様の効果を得ることができる。
【００９８】
・上記実施形態において、第１のトーションスプリング１６９は、インナーケース半円筒壁部１０８及びヘリカルギア１６３のヘリカルギア半円壁部１６６の内側に設けられたが、これとは逆にこれら両者の外側に設けてもよい。このように構成した場合でも、上記実施形態と同様の効果を得ることができる。
【００９９】
・上記実施形態において、リンク１５２を省略してもよい。この場合、例えば、図１８（ａ）に示すように、ヘリカルギア１６３に壁部１９２を設ける。また、リッドロックバー１５１を壁部１９２の回動軌跡上に位置させる。このように構成すれば、ヘリカルギア１６３が回転することにより、リッドロックバー１５１の位置を図１８（ｂ）に示すリッドロック位置から図１８（ｃ）に示すリッドアンロック位置に変位させることができるので、上記実施形態と同様の効果を得ることができる。
【０１００】
・上記実施形態において、操作レバー１８２は、ヘリカルギア１６３を直接回転するように設けなくてもよい。例えば、図１９に示すように、ラックが形成された操作レバー１９３をモータ軸に固定されたピニオンと係合させる。このように構成した場合、操作レバー１９３を操作することでモータ軸が回転する。すると、モータ軸に固定されたウォームギア１６２が回転するので、これに噛合されたヘリカルギア１６３が回転する。このように構成した場合でも、上記実施形態と同様の効果を得ることができる。
【０１０１】
・上記実施形態において、ウォームギア１６２を省略してもよい。この場合、モータ１６１のモータ軸にヘリカルギア１６３を固定する。このように構成した場合でも、上記実施形態と同様の効果を得ることができる。なお、この場合、ヘリカルギア１６３は、ギアである必要はない。
【０１０２】
・上記実施形態において、第１のトーションスプリング１６９を省略してもよい。このように構成する場合、ヘリカルギア１６３が時計方向に回転した後、モータ１６１の制御を通じて、当該ヘリカルギア１６３を基準位置に復帰させる。このようにすれば、上記実施形態と同様の効果を得ることができる。
【０１０３】
・上記実施形態において、第２のトーションスプリング１１５を省略してもよい。
・上記実施形態において、例えば、爪ロックバー１２３の手前側が奥側よりも重く構成する等して、当該爪ロックバー１２３が常時水平状態に維持されるようにすれば、第３のトーションスプリング１１６を省略してもよい。
【０１０４】
・上記実施形態において、例えば、リッドロックバー１５１が自重により常時リッドロック位置に付勢されていれば、コイルばね１８０を省略してもよい。
・上記実施形態において、ヘリカルギア１６３と操作レバー１８２との係合、及びコントロールピース１２１と操作レバー１８２との係合は、半円状の軸部が半円状の凹部（孔部）に挿入される関係とされていた。この係合関係を、多角形の軸部とその多角形の形状と対応する凹部との関係に変更してもよい。また、軸部と凹部とを別途接着剤等により固定するようにしてもよい。このように構成した場合でも、ヘリカルギア１６３と操作レバー１８２、及びコントロールピース１２１とコントロールシャフト１２２は、互いに一体回転する。
【０１０５】
・上記実施形態において、リッド４０は、図示しない付勢手段により開口部１ｂを開口する方向に付勢されていたが、これを省略してもよい。
・上記実施形態において、インレット部５は車両１の側面に設けるようにしたが、側面に限らず、例えば車両前面等に設けてもよい。
【０１０６】
・上記実施形態において、係止爪１６は、給電プラグ１０の嵌着部１４の上部に設けるようにしたが、片側だけでなく嵌着部１４を挟んで上下等の複数箇所に設けるようにしてもよい。
【０１０７】
・上記実施形態において、係止爪１６は給電プラグ１０に、係合部２１は、インレット部５にそれぞれ形成されたが、逆であってもよい。
・上記実施形態において、駆動手段としてモータ１６１を用いたが、ロータリソレノイド等の他の駆動手段を用いてもよい。
【０１０８】
・上記実施形態において、キーの認証を電子キー８０によるＩＤ照合により行ったが、メカニカルキーによる機械的な照合で行ってもよい。
・上記実施形態において、電子キーシステム７０は、例えばＩＤコードの発信元としてトランスポンダを使用するイモビライザーシステムを採用してもよい。
【０１０９】
・上記実施形態において、電子キーシステム７０で使用する電波の周波数は、必ずしもＬＦやＵＨＦに限定されず、これら以外の周波数が使用可能である。また、車両１から電子キー８０に電波発信するときの周波数と、電子キー８０から車両１に電波を返すときの周波数とは、必ずしも異なるものに限定されず、これらを同じ周波数としてもよい。
【０１１０】
・上記実施形態において、ユーザ認証は、必ずしも電子キー８０を使用したキー認証に限定されず、例えば生体認証等の他の認証を応用してもよい。
・上記実施形態において、プラグインハイブリッド式の車両１のインレット部５に適用したが、プラグインハイブリッド式の車両に限らず、電気自動車のインレット部等に適用してもよい。
【０１１１】
・上記実施形態において、本例のロック装置１００は、必ずしも車両１のみに適用されることに限らず、充電式バッテリを持つ装置や機器であれば、その採用先は特に限定されない。
【０１１２】
次に、上記実施形態及び上記別例から想起される技術的思想について追記する。
（イ）前記リッド規制部材は、付勢手段により付勢されている。
同構成によれば、より確実にリッド規制部材をリッドロック位置に向けて付勢することができる。
【符号の説明】
【０１１３】
１…車両、１ａ…収容部、１ｂ…開口部、２…駆動輪、３…ハイブリッドシステム、４…バッテリ、５…インレット部、５ａ…インレット本体、５ｂ…円筒部、５ｃ…斜面、６…コンバータ、１０…給電プラグ、１１…プラグ本体、１１ａ…基端、１１ｂ…先端、１２…ケーブル、１３…グリップ部、１４…嵌着部、１５…接続端子、１６…係止爪、１７…操作部、２１…係合部、２１ａ…係合凹部、２１ｂ…内面、２９…接続端子、４０…リッド、４１…湾曲板材、４２…リッドロック孔、６１…外部電源、６２…充電装置、７０…電子キーシステム、７１…照合ＥＣＵ、７１ａ…メモリ、７２…車外ＬＦ発信機、７３…車内ＬＦ発信機、７４…ＵＨＦ受信機、７５…充電ＥＣＵ、７５ａ…タイマ、７６…取り外しスイッチ、７７…リッドオープンスイッチ、８０…電子キー、８１…通信制御部、８１ａ…メモリ、８２…ＬＦ受信部、８３…ＵＨＦ発信部、１００…ロック装置、１０１…ケース、１０２…ケースカバー、１０３…エンドカバー、１０４…インナーケース（第１の独立部）、１０５…モータ収容部、１０６…ヘリカルギア収容部、１０７…インナーケース挿通孔、１０８…インナーケース半円筒壁部（第２の支持部、及び復帰手段）、１０９…コントロールピース収容部、１１０…コントロールシャフト収容部、１１１…爪ロックバー収容部、１１２…第１のマイクロスイッチ、１１３…第２のマイクロスイッチ、１１４…ケース側係止ピン（第２の独立部）、１１５…第２のトーションスプリング、１１６…第３のトーションスプリング、１１７…リッドロックバー収容部、１１８…円柱ピン、１１９…バー挿通孔、１２０…プラグロック機構部、１２１…コントロールピース（第１の伝達部材、及びプラグ規制部材）、１２２…コントロールシャフト（プラグ規制部材）、１２２ａ…第１の軸部、１２２ｂ…爪ロックバー規制部、１２２ｃ…第２の軸部、１２３…爪ロックバー（連動部）、１２４…ピース本体、１２５…回転軸（第２の回転係合部）、１２６…第１の半円柱、１２７…第２の半円柱、１２７ａ…第１の回転軸端部、１２７ｂ…第２の回転軸端部、１２８…凹部、１２９…半円押部、１３０…半円板部、１３１…ピース側係止ピン、１３２…コントロールシャフト収容部、１３５…接続部、１３６…リップシール、１３７…横棒部材、１３８…縦棒部材、１３９…貫通孔、１４０…回転軸、１４１…薄肉部、１４２…係止爪ロック部、１４３…爪案内面、１５０…リッドロック機構部、１５１…リッドロックバー（リッド規制部材）、１５２…リンク（第２の伝達部材）、１５３…リンク回転孔、１５４…第１の係合ピン（第４の回転係合部）、１５５…第２の係合ピン、１５６…角柱部、１５７…円柱部、１５８…バー案内面、１５９…バー凹部、１６０…アクチュエータ機構部（駆動機構）、１６１…モータ（駆動源）、１６２…ウォームギア、１６３…ヘリカルギア、１６４…ヘリカルギア円筒部、１６５…第１のヘリカルギア突部（第１の回転係合部）、１６６…ヘリカルギア半円壁部（第１の支持部、及び復帰手段）、１６６ａ…第１のヘリカルギア半円筒壁端部、１６６ｂ…第２のヘリカルギア半円筒壁端部、１６９…第１のトーションスプリング（復帰手段）、１７０…第１のトーションスプリング端部、１７１…第２のトーションスプリング端部、１７２…ヘリカルギア半円柱部、１７３…第２のヘリカルギア突部（第３の回転係合部）、１８０…コイルばね、１８１…ケースカバー挿通孔、１８２…操作レバー、１９０…第１の回転係合部材、１９１…第２の回転係合部材、１９２…壁部、１９３…操作レバー。
【図１】
0005758830.tif 000002
【図２】
0005758830.tif 000003
【図３】
0005758830.tif 000004
【図４】
0005758830.tif 000005
【図５】
0005758830.tif 000006
【図６】
0005758830.tif 000007
【図７】
0005758830.tif 000008
【図８】
0005758830.tif 000009
【図９】
0005758830.tif 000010
【図１０】
0005758830.tif 000011
【図１１】
0005758830.tif 000012
【図１２】
0005758830.tif 000013
【図１３】
0005758830.tif 000014
【図１４】
0005758830.tif 000015
【図１５】
0005758830.tif 000016
【図１６】
0005758830.tif 000017
【図１７】
0005758830.tif 000018
【図１８】
0005758830.tif 000019
【図１９】
0005758830.tif 000020